(57)【要約】【課題】安定して積み重ねられるボトルを提供すること。【解決手段】キャップ１６が装着された口部１１、肩部１２、胴部１３及び底部１４がボトル軸Ｏ方向に沿って順に連設されており、底部１４の底壁部３２が、外周縁部に位置する接地部３４と、ボトル軸Ｏ上に位置すると共に上方に向けて窪み、他のボトルのキャップ１６が内部に進入可能な陥没部３５と、を備え、ボトル１の外周面には、底部１４をボトル径方向の外側から囲繞するラベル１５が配設されている。【選択図】図１
2017154765.tif 000002
【特許請求の範囲】
【請求項１】
キャップが装着された口部、肩部、胴部及び底部がボトル軸方向に沿って順に連設されたボトルであって、
前記底部の底壁部が、外周縁部に位置する接地部と、前記ボトル軸上に位置すると共に上方に向けて窪み、当該ボトルとは異なる他のボトルの前記キャップが内部に進入可能な陥没部と、を備え、
当該ボトルの外周面には、前記底部または前記肩部を前記ボトル軸に直交するボトル径方向の外側から囲繞可能なラベルが配設されていることを特徴とするボトル。
【請求項２】
前記陥没部が、前記他のボトルの前記肩部の少なくとも一部を内部に配置可能な下側陥没部と、前記下側陥没部に連なり、前記他のボトルの前記キャップを内部に収容可能な上側陥没部と、を備えることを特徴とする請求項１に記載のボトル。
【請求項３】
前記肩部が、前記口部の下端部から下方に向けて延びる上側肩部と、前記胴部の上端部から前記ボトル径方向の内側に向けて延びると共に前記上側肩部に連なり、かつ、前記他のボトルの前記接地部を載置可能な載置面部と、を有し、
前記上側肩部には、前記ボトル径方向の外側に突出する規制部が形成されており、
前記下側陥没部には、前記他のボトルの前記規制部を収容すると共に前記規制部を前記ボトル軸回りで周回するボトル周方向の両側から支持可能な被規制部が形成されていることを特徴とする請求項２に記載のボトル。
【請求項４】
前記ラベルには、当該ラベルの一部を分離して前記胴部に対して前記ボトル軸方向に移動可能とさせる分断部が形成されていることを特徴とする請求項１から３のいずれか１項に記載のボトル。
【請求項５】
前記胴部の外周面には、前記ラベルの当該胴部に対する前記ボトル軸回りの回転に伴って前記ラベルを前記ボトル軸方向に移動させる案内部が形成されていることを特徴とする請求項１から４のいずれか１項に記載のボトル。
【請求項６】
前記ラベルには、係止部が形成されており、
前記胴部のうち前記係止部に対して前記ボトル軸方向に離れた部分には、前記係止部と係止可能である被係止部が形成されていることを特徴とする請求項１から５のいずれか１項に記載のボトル。
【発明の詳細な説明】
【技術分野】
【０００１】
本発明は、ボトルに関する。
【背景技術】
【０００２】
積み重ね可能なボトルとして、例えば下記特許文献１に記載の構成が知られている。
【先行技術文献】
【特許文献】
【０００３】
【特許文献１】実開昭５３−１４８７５８号公報
【発明の概要】
【発明が解決しようとする課題】
【０００４】
しかしながら、上記従来のボトルでは、ボトル軸に沿って上下に積み重ねられた一対のボトルに対してボトル径方向（横方向）に相対的に変位する外力（横力）が加えられたときに、積み重ねたボトルが崩れやすいという問題があった。
【０００５】
そこで、本発明は、安定して積み重ねられるボトルを提供することを目的とする。
【課題を解決するための手段】
【０００６】
本発明は、上記課題を解決するために以下のような手段を採用した。すなわち、本発明のボトルは、キャップが装着された口部、肩部、胴部及び底部がボトル軸方向に沿って順に連設されたボトルであって、前記底部の底壁部が、外周縁部に位置する接地部と、前記ボトル軸上に位置すると共に上方に向けて窪み、当該ボトルとは異なる他のボトルの前記キャップが内部に進入可能な陥没部と、を備え、当該ボトルの外周面には、前記底部または前記肩部を前記ボトル軸に直交するボトル径方向の外側から囲繞可能なラベルが配設されていることを特徴とする。
【０００７】
この発明では、ボトル上に他のボトルを積み重ねたときに、上側のボトルの底部が、下側のボトルのキャップ及び口部と、一対のボトルのうちの一方のラベルと、によってボトル径方向で挟まれる。そのため、積み重ねた上下一対のボトルに対してボトル径方向に相対的に変位する外力が加えられても、上側のボトルの底部が下側のボトルに対してぐらつきにくくなり、一対のボトル間のボトル径方向での相対変位を抑制できる。したがって、ボトルを安定して積み重ねることが可能となる。
【０００８】
また、本発明のボトルでは、前記陥没部が、前記他のボトルの前記肩部の少なくとも一部を内部に配置可能な下側陥没部と、前記下側陥没部に連なり、前記他のボトルの前記キャップを内部に収容可能な上側陥没部と、を備えてもよい。
この発明では、上側のボトルの下側陥没部に下側のボトルの肩部の少なくとも一部を収容することで、上側のボトルの底部が下側のボトルに対してさらにぐらつきにくくなる。したがって、ボトルをさらに安定して積み重ねることが可能となる。
【０００９】
また、本発明のボトルでは、前記肩部が、前記口部の下端部から下方に向けて延びる上側肩部と、前記胴部の上端部から前記ボトル径方向の内側に向けて延びると共に前記上側肩部に連なり、かつ、前記他のボトルの前記接地部を載置可能な載置面部と、を有し、前記上側肩部には、前記ボトル径方向の外側に突出する規制部が形成されており、前記下側陥没部には、前記他のボトルの前記規制部を収容すると共に前記規制部を前記ボトル軸回りで周回するボトル周方向の両側から支持可能な被規制部が形成されてもよい。
この発明では、ボトル上に他のボトルを積み重ねたときに、下側のボトルにおける上側肩部の規制部が、上側のボトルの被規制部内に収容され、上側のボトルの下側陥没部によってボトル周方向の両側から支持されるので、積み重ねた上下一対のボトルがボトル周方向で相対的に変位しにくくなる。したがって、ボトルをより安定して積み重ねることができる。
【００１０】
また、本発明のボトルでは、前記ラベルには、当該ラベルの一部を分離して前記胴部に対して前記ボトル軸方向に移動可能とさせる分断部が形成されてもよい。
この発明では、分離した一部のラベルを胴部に対してボトル軸方向に移動させることにより、この一部のラベルが、積み重ねた上下一対のボトルの積み重ね部分をボトル径方向の外側から囲繞する。このため、ラベルによって積み重ね部分をボトル径方向の外側から囲繞させる構成を採用したことによってラベルのボトル軸方向の長さが過度に長くなることを抑えられる。
【００１１】
また、本発明のボトルでは、前記胴部の外周面には、前記ラベルの当該胴部に対する前記ボトル軸回りの回転に伴って前記ラベルを前記ボトル軸方向に移動させる案内部が形成されてもよい。
この発明では、ラベルをボトルに対してボトル軸回りに回転させることにより、ラベルをボトル軸方向に移動させるので、例えばラベルがシュリンクラベルなど胴部に対してきつく取り付けられ、胴部との間の摩擦力が比較的高い場合であっても、ラベルを胴部に対して容易にボトル軸方向に移動させることができる。
【００１２】
また、本発明のボトルは、前記ラベルには、係止部が形成されており、前記胴部のうち前記係止部に対して前記ボトル軸方向に離れた部分には、前記係止部と係止可能である被係止部が形成されてもよい。
この発明では、ラベルを胴部に対してボトル軸方向に移動させて係止部と被係止部とを係止させることにより、ラベルがその後に胴部に対してボトル軸方向に移動することを抑制できるので、ラベルが上下一対のボトルの積み重ね部分をボトル径方向の外側から囲繞する状態をより確実に維持できる。
【発明の効果】
【００１３】
この発明にかかるボトルによれば、積み重ねた上下一対のボトル間におけるボトル径方向での相対変位を抑制できるので、ボトルを安定して積み重ねることが可能となる。
【図面の簡単な説明】
【００１４】
【図１】本発明の第１実施形態にかかるボトルを示す正面図である。
【図２】図１のボトルを示す上面図である。
【図３】図１のボトルを示す下面図である。
【図４】図１のボトルを積み重ねた状態を示す部分拡大正面図である。
【図５】本発明の第２実施形態にかかるボトルを示す正面図である。
【図６】図５のボトルを積み重ねた状態を示す部分拡大正面図である。
【図７】本発明の第３実施形態にかかるボトルを示す正面図である。
【図８】図７のボトルにおいて分断部を破断した状態を示す部分拡大図である。
【図９】図７のボトルを積み重ねた状態を示す部分拡大正面図である。
【図１０】本発明の第４実施形態にかかるボトルを示す正面図である。
【図１１】図１０のボトルにおいて分断部を破断した状態を示す部分拡大図である。
【図１２】図１０のボトルを積み重ねた状態を示す部分拡大正面図である。
【発明を実施するための形態】
【００１５】
以下、本発明によるボトルの第１実施形態を、図面に基づいて説明する。なお、以下の説明に用いる各図面では、各部材を認識可能とするために縮尺を適宜変更している。
本実施形態にかかるボトル１は、図１に示すように、円筒状の口部１１、筒状の肩部１２、四角筒状の胴部１３及び有底四角筒状の底部１４と、胴部１３及び底部１４を外側から囲繞する四角筒状のラベル１５と、を備える。これら口部１１、肩部１２、胴部１３及び底部１４は、それぞれの中心軸線を共通軸上に位置した状態でこの順に連設された概略構成とされており、射出成形により有底筒状に形成された合成樹脂材料からなるプリフォームをブロー成形することによって形成されている。
【００１６】
ここで、上述した共通軸をボトル軸Ｏと称し、ボトル軸方向に沿う口部１１側を上側、底部１４側を下側と称し、ボトル１の上面視においてボトル軸Ｏに直交する方向をボトル径方向と称し、ボトル軸Ｏ回りに周回する方向をボトル周方向と称する。
なお、ボトル１の上面視において、口部１１は、円形状であり、肩部１２、胴部１３及び底部１４は、角部が丸められた正方形状とされている。
【００１７】
口部１１の下端部には、ボトル径方向外側に向けて円環状のネックリング１１Ａが全周にわたって突設されている。また、口部１１の上端部には、有頂円筒状のキャップ１６が装着されている。
肩部１２は、口部１１の下端縁から下方に向けて延びる筒状の上側肩部２１と、胴部１３の上端縁からボトル径方向の内側に向けて延びると共に上側肩部２１に連なり、他のボトル１を載置可能な環状の載置面部２２と、を有する。
【００１８】
上側肩部２１には、図１及び図２に示すように、ボトル径方向の外側に向けて張り出す複数（本実施形態では４つ）の張出部（規制部）２３がボトル周方向に間隔をあけて設けられている。また、上側肩部２１は、張出部２３と共に上面視で十字状をなしており、４つの張出部２３のうちボトル軸Ｏをボトル径方向で挟む一対の張出部２３は、上面視で正方形状をなす肩部１２の一辺に沿って延在している。他の一対の張出部２３についても同様である。さらに、張出部２３のボトル周方向の幅は、上方から下方に向かうにしたがって漸次拡幅されている。なお、張出部２３のうちボトル径方向の外端部は、載置面部２２を超えて胴部１３の上端部２５上に至っている。
載置面部２２は、ボトル径方向とほぼ平行に延在しており、張出部２３によってボトル周方向で分断されている。これにより、載置面部２２は、肩部１２の４つの角部に残存している。
【００１９】
胴部１３の上端部２５は、図１に示すように、下方に向かうにしたがって漸次ボトル径方向の外側に向けて広がっており、その縦断面は、ボトル径方向の外側に向けて凸となるように湾曲している。また、胴部１３のうち上端部２５よりも下側の部分は、上下方向の全長にわたって四角筒状とされている。
【００２０】
底部１４は、図１及び図３に示すように、上端縁が胴部１３の下端縁から下方に向けて延在する筒状のヒール部３１と、ヒール部３１の下端縁を閉塞する底壁部３２と、を備える。
ヒール部３１は、底壁部３２の後述する陥凹部（被規制部）３６Ａによってボトル周方向で分断されており、下面視で正方形状をなす底部１４の４つの角部に残存している。
【００２１】
底壁部３２は、外周縁部に位置し、ヒール部３１の下端縁に連設された環状の接地部３４と、ボトル軸Ｏ上に位置すると共に上方に向けて窪み、他のボトル１のキャップ１６及び肩部１２が内部に進入可能な有頂円筒状の陥没部３５と、を有する。
接地部３４は、ボトル径方向とほぼ平行に延在しており、ヒール部３１と同様に、底壁部３２の後述する陥凹部３６Ａによってボトル周方向で分断されており、底部１４の４つの角部に残存している。
【００２２】
陥没部３５は、他のボトル１の肩部１２の少なくとも一部を内部に配置可能な下側陥没部３６と、下側陥没部３６に連なり、他のボトル１のキャップ１６を内部に収容可能な有頂円筒状の上側陥没部３７と、を有する。これら下側陥没部３６及び上側陥没部３７は、ボトル軸Ｏと同軸に配設されている。また、陥没部３５の上下方向の高さは、図１に示すように、キャップ１６を装着した状態の口部１１及び上側肩部２１の高さ以上とされている。
【００２３】
下側陥没部３６には、他のボトル１の張出部２３を収容可能な陥凹部３６Ａが周方向に間隔をあけて複数（本実施形態では４つ）設けられている。陥凹部３６Ａは、ボトル径方向の外側及び下側に向けて開口している。そのため、下側陥没部３６及び陥凹部３６Ａは、内部に他のボトル１の上側肩部２１が進入可能なように下面視で十字状をなしており、上面視において上側肩部２１と重なっている。
【００２４】
また、下側陥没部３６は、ボトル径方向とほぼ平行に延在する第１天壁部４１と、第１天壁部４１の外縁と接地部３４とを接続する立上壁部４２と、を有する。
第１天壁部４１は、陥凹部３６Ａの天壁部と面一に連なっている。
立上壁部４２は、ヒール部３１及び接地部３４と同様に、陥凹部３６Ａによってボトル周方向で分断されており、底部１４の４つの角部に残存している。また、立上壁部４２は、上方に向かうにしたがってボトル径方向の内側に向かうように傾斜している。
【００２５】
上側陥没部３７は、下側陥没部３６から上方に向けて窪んでおり、ボトル軸Ｏと同軸に配設された有頂円筒状をなしている。また、上側陥没部３７は、下面視で円形状の第２天壁部４３と、第２天壁部４３の外周縁から下方に向けて延在する円筒状の周壁部４４と、を有する。
第２天壁部４３は、ボトル径方向とほぼ平行に延在しており、周壁部４４は、ボトル軸Ｏとほぼ平行に延在している。第２天壁部４３及び周壁部４４は、上面視においてキャップ１６よりも大径に形成されている。
【００２６】
ラベル１５は、図１に示すように、胴部１３及び底部１４をボトル径方向の外側から囲繞している。
【００２７】
以上のような構成のボトル１は、図４に示すように、上下方向に積み重ね可能である。互いに積み重ねられた一対のボトル１Ａ、１Ｂのうち、上側のボトル１Ａは、下側のボトル１Ｂ（当該ボトルとは異なるボトル）上に積み重ねられる。ボトル１Ａの陥没部３５の内部には、ボトル１Ｂのキャップ１６、口部１１及び肩部１２が進入する。
【００２８】
これにより、ボトル１Ａの上側陥没部３７の内部には、ボトル１Ｂのキャップ１６及び口部１１が収容される。また、ボトル１Ａの下側陥没部３６の内部には、ボトル１Ｂの上側肩部２１が収容される。ここで、ボトル１Ａの陥凹部３６Ａには、ボトル１Ｂの上側肩部２１の張出部２３が収容される。
また、ボトル１Ａの接地部３４は、ボトル１Ｂの載置面部２２上に載置される。これにより、ボトル１Ａは、ボトル１Ｂによって支持される。さらに、ボトル１Ｂの上側肩部２１は、ボトル１Ａのラベル１５によってボトル径方向の外側から被覆される。
【００２９】
以上、本実施形態にかかるボトル１によれば、上下に積み重ねられた一対のボトル１Ａ、１Ｂのうち上側のボトル１Ａの底部１４が下側のボトル１Ｂのキャップ１６、口部１１及び肩部１２とラベル１５とによってボトル径方向で挟まれるので、上側のボトル１Ａがぐらつきにくくなり、ボトル１Ａ、１Ｂを安定して積み重ねることが可能となる。ここで、ボトル１Ａ、１Ｂを積み重ねたときに上側のボトル１Ａの陥凹部３６Ａ内に下側のボトル１Ｂの張出部２３が収容されており、上下一対のボトル１Ａ、１Ｂ間のボトル周方向での相対変位をより抑制できるので、ボトル１Ａ、１Ｂをより安定して積み重ねられる。
【００３０】
次に、本発明によるボトルの第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３１】
本実施形態にかかるボトル５０の肩部５１、胴部５２及び底部５３は、角部が丸められた正方形状とされている。
肩部５１は、ボトル径方向とほぼ平行に延在する小径の上側リング部５４及び大径の下側リング部５５を有する段付き形状に形成されている。下側リング部５５上には、他のボトル５０の底部５３が載置可能となっている。
胴部５２の上端部５６及び中間部５７は、下端部５８よりも小径とされている。上端部５６は、下側リング部５５の外周縁に連なっており、下方に向かうにしたがって拡径している。また、中間部５７は、上端部５６の下端縁から下方に向けて延在しており、中間部５７には、ボトル周方向の全周にわたって連続して延在する環状凹溝５７Ａが上下方向に間隔をあけて複数形成されている。
【００３２】
底部５３は、胴部１３の下端部５８の下端縁に連設された四角筒状のヒール部６１と、ヒール部６１の下端縁を閉塞する接地可能な有頂円筒状の底壁部６２と、を有する。
ヒール部６１の上端部は、胴部５２の下端縁に連設されると共に下方に向かうにしたがって漸次縮径している。
底壁部６２は、外周縁部に位置する環状の接地部６３と、ボトル軸Ｏと同軸に配設され、上方に向けて窪む有頂円筒状の陥没部６４と、を有する。
接地部６３は、ヒール部６１の下端縁からボトル径方向の内側に向けて、ボトル径方向とほぼ平行に延在している。なお、接地部６３は、ボトル５０を水平面上に載置した際に、この水平面と線接触または面接触する。
【００３３】
陥没部６４の下側陥没部７１は、円環状の第１天壁部７２と、第１天壁部７２の外周縁に連設された円筒状の立上壁部７３と、を有する。これら第１天壁部７２及び立上壁部７３は、ボトル軸Ｏと同軸に配設されている。なお、第１天壁部７２を四角環状とし、ボトル５０を積み重ねた際に上側のボトル５０におけるボトル周方向のぐらつきを防止してもよい。
第１天壁部７２は、上方から下方に向かうにしたがって漸次拡径するように若干傾斜している。
立上壁部７３は、上方から下方に向かうにしたがって漸次拡径するように傾斜している。なお、立上壁部７３の傾斜角は、第１天壁部７２の傾斜角よりも十分に大きい。
【００３４】
上側陥没部７４は、下面視で円形状の第２天壁部７５と、第２天壁部７５の外周縁に連設された円筒状の周壁部７６と、を有する。これら第２天壁部７５及び周壁部７６は、ボトル軸Ｏと同軸に配設されている。
第２天壁部７５は、ボトル径方向とほぼ平行に延在する円板状をなしており、第２天壁部７５の中央部には、扁平な円椀状の突出部７５Ａが下方に向けて突設されている。
周壁部７６は、第２天壁部７５の外周縁と第１天壁部７２の内周縁とを接続している。
【００３５】
ラベル７６は、いわゆる巻きラベルであり、口部１１の下端部から胴部５２の下端までをボトル径方向の外側から囲繞している。
【００３６】
以上のような構成のボトル５０は、図６に示すように、上下方向に積み重ね可能であり、一対のボトル５０Ａ、５０Ｂのうち上側のボトル５０Ａは、下側のボトル５０Ｂ上に積み重ねられる。
そして、上述した第１実施形態と同様に、ボトル５０Ａの上側陥没部７４の内部には、ボトル５０Ｂのキャップ１６、口部１１及び肩部５１が収容され、ボトル５０Ａの下側陥没部７１の内部には、ボトル５０Ｂの肩部５１が収容される。
また、ボトル５０Ａの接地部６３は、ボトル５０Ｂの肩部５１上に載置される。これにより、ボトル５０Ａは、ボトル５０Ｂによって支持される。さらに、ボトル５０Ａの底部５３は、ボトル５０Ｂのラベル７６によってボトル径方向の外側から被覆される。
【００３７】
以上、本実施形態にかかるボトル５０によっても、上述した第１実施形態と同様の作用、効果を奏する。
【００３８】
次に、本発明によるボトルの第３実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３９】
本実施形態にかかるボトル８０の胴部８１のうち中間部８２の上側部分には、図７に示すように、多条ネジ状の案内部８３がボトル周方向に間隔をあけて複数形成されている。案内部８３は、ボトル径方向の外側に向けて突出する突リブであり、下方から上方に向かうにしたがってボトル周方向の一方向（ボトル８０の上面視における反時計回り）に向かうように延在している。また、中間部８２の下側部分には、環状凹溝８２Ａが上下方向に間隔をあけて複数形成されている。
【００４０】
ラベル８４は、いわゆるシュリンクラベルであり、胴部８１の中間部８２をボトル径方向の外側から囲繞している。また、ラベル８４のラベル上端部８５の下端には、ボトル周方向に沿って全周にわたって延在する帯状の分断部８６が連設されており、分断部８６を破断することによって、図８に示すように、ラベル８４のラベル上端部８５と他の部分８７とを分離可能となっている。ラベル上端部８５は、図７に示すように、胴部８１の中間部８２のうち案内部８３が形成されている上側部分をボトル径方向の外側から囲繞している。
【００４１】
以上のような構成のボトル８０は、図９に示すように、上下方向に積み重ね可能であり、一対のボトル８０Ａ、８０Ｂのうち上側のボトル８０Ａは、上述した第２実施形態と同様に、下側のボトル８０Ｂ上に積み重ねられ、ボトル８０Ｂによって支持される。
また、分断部８６を破断することによってラベル８４をラベル上端部８５と他の部分８７とに分離し、ラベル上端部８５を胴部８１に対してボトル軸Ｏ回り（ボトル８０の上面視における反時計回り）に回転させると、ラベル上端部８５は、案内部８３に沿って胴部８１に対して上方に移動し、ボトル８０Ａの底部５３をボトル径方向の外側から被覆する。
なお、ラベル上端部８５の分離は、ボトル８０Ａをボトル８０Ｂ上に積み重ねた後であっても、積み重ねる前であってもよい。また、ラベル上端部８５には、例えばボトル８０に関する広告表示などを印刷などしてもよい。
【００４２】
以上、本実施形態にかかるボトル８０によっても、上述した第２実施形態と同様の作用、効果を奏するが、ラベル上端部８５を分離可能とすることにより、ラベル８４によってボトル８０の積み重ね部分をボトル径方向の外側から囲繞させる構成を採用したことによってラベル８４が上下方向で過度に長くなることを抑制できる。
また、案内部８３を形成しているので、シュリンクラベルのような胴部８１に対してきつく取り付けられるラベルを用いても、ラベル８４を上下方向に移動させることが容易となる。
【００４３】
次に、本発明によるボトルの第４実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００４４】
本実施形態にかかるボトル９０の胴部９１の中間部９２の上側部分には、図１０に示すように、ボトル径方向の外側に向けて係止突部（係止部）９３が突設されている。係止突部９３は、ボトル周方向に間隔をあけて複数（本実施形態では４つ）形成されている。
ラベル９４は、いわゆる巻きラベルであり、胴部９１の中間部９２をボトル径方向の外側から囲繞している。また、ラベル９４のラベル上端部９５の下端には、ボトル周方向に沿って全周にわたって延在する帯状の分断部９６が連設されており、図１１に示すように、分断部９６を破断することによって、ラベル９４のラベル上端部９５と他の部分９７とを分離可能となっている。
【００４５】
ラベル上端部９５には、図１０に示すように、係止突部９３と係止可能な係止窓部（被係止部）９５Ａが形成されている。係止窓部９５Ａは、係止突部９３と同様に、ボトル周方向に間隔をあけて複数（本実施形態では４つ）形成されている。また、ラベル上端部９５の上端縁は、係止突部９３よりも下方に位置している。
【００４６】
以上のような構成のボトル９０は、図１２に示すように、上下方向に積み重ね可能であり、一対のボトル９０Ａ、９０Ｂのうち上側のボトル９０Ａは、上述した第３実施形態と同様に、下側のボトル９０Ｂ上に積み重ねられ、ボトル９０Ｂによって支持される。
また、分断部９６を破断することによってラベル９４をラベル上端部９５と他の部分とに分離し、ラベル上端部９５を胴部９１に対して上方に移動させると、ラベル上端部９５は、ボトル９０Ａの底部５３をボトル径方向の外側から被覆する。ここで、ラベル上端部９５の係止窓部９５Ａは、胴部９１の係止突部９３に係止される。これにより、ラベル上端部９５が胴部９１に対して上下動することが抑制される。
なお、上述した第３実施形態と同様に、ラベル上端部９５の分離は、ボトル９０Ａをボトル９０Ｂ上に積み重ねた後であっても、積み重ねる前であってもよい。また、ラベル上端部９５には、例えばボトル９０に関する広告表示を印刷などしてもよい。
【００４７】
以上、本実施形態にかかるボトル９０によっても、上述した第３実施形態と同様の作用、効果を奏するが、胴部９１の係止突部９３とラベル上端部９５の係止窓部９５Ａとを係止させることにより、ボトル９０Ａ、９０Ｂを積み重ねた状態で、下側のボトル９０Ｂのラベル上端部９５が上側のボトル９０Ａの底部をボトル径方向の外側から囲繞している状態をより確実に維持できる。このような係止構造は、ラベル９４が胴部９１に対してきつくは巻き付けられていない構造のボトルにおいて、特に有用である。
【００４８】
なお、本発明は上記実施形態に限定されるものではなく、本発明の趣旨を逸脱しない範囲において種々の変更を加えることができる。
例えば、肩部、胴部、底部及びラベルの形状及び構造は、上述した実施形態の構造を適宜組み合わせてもよい。
口部、肩部、胴部及び底部の形状は、例えば円形状や楕円形状、多角形状など、他の形状であってもよい。
ラベルは、胴部をボトル径方向の外側から囲繞しているが、少なくとも肩部または底部をボトル径方向の外側から囲繞できればよい。
ラベルは、例えば紙筒のような剛性のあるラベルで形成されてもよい。
陥没部の内径とキャップの外径とは、等しくてもよい。
第１実施形態において、上側肩部に複数の張出部を形成すると共に下側陥没部に複数の陥凹部を形成しているが、張出部及び陥凹部は、少なくとも１つ形成されていればよい。
第２から第４実施形態において、陥没部が肩部の少なくとも一部を収容する下側陥没部を有しているが、陥没部には少なくともキャップが収容されればよく、下側陥没部を有さない構造であってもよい。
第２実施形態において、ラベルのうち肩部をボトル径方向から囲繞する部分は、例えば肩部に張り付くようにするなど、ボトル径方向の内側に向けて折り畳み可能であってもよい。これにより、ボトルを積み重ねないときにラベルの上記部分が邪魔にならず、ボトルの取り扱い性を向上させることができる。また、ラベルの上記部分は、折り返し可能な構成など、他の構成であってもよい。
第３及び第４実施形態において、ラベル上端部を他の部分に対して移動させているが、ラベル上端部を固定して他の部分を移動させる構成としてもよい。また、ラベルを分離不能にして全体を移動可能としてもよい。
第３実施形態において、案内部として多条ネジ構造を用いているが、ラベルを胴部に対してボトル軸回りに回転させることに伴ってラベルがボトル軸方向に移動する形状であれば、他の形状であってもよい。
第４実施形態において、係止部及び被係止部を係止突部及び係止窓部によって形成しているが、他の係止構造であってもよい。
【産業上の利用可能性】
【００４９】
この発明によれば、安定して積み重ねられるボトルに関して、産業上の利用可能性が認められる。
【符号の説明】
【００５０】
１，１Ａ，１Ｂ，５０，５０Ａ，５０Ｂ，８０，８０Ａ，８０Ｂ，９０，９０Ａ，９０Ｂ  ボトル、１１  口部、１２，５１  肩部、１３，５２，８１，９１  胴部、１４，５３  底部、１５，７６，８４，９４  ラベル、１６  キャップ、２１  上側肩部、２２  載置面部、２３  張出部（規制部）、３２  底壁部、３４，６３  接地部、３５，６４  陥没部、３６，７１  下側陥没部、３６Ａ  陥凹部（被規制部）、３７，７５  上側陥没部、８３  案内部、８６，９６  分断部、９３  係止突部（係止部）、９５Ａ  係止窓部（被係止部）
【図１】
2017154765.tif 000003
【図２】
2017154765.tif 000004
【図３】
2017154765.tif 000005
【図４】
2017154765.tif 000006
【図５】
2017154765.tif 000007
【図６】
2017154765.tif 000008
【図７】
2017154765.tif 000009
【図８】
2017154765.tif 000010
【図９】
2017154765.tif 000011
【図１０】
2017154765.tif 000012
【図１１】
2017154765.tif 000013
【図１２】
2017154765.tif 000014